【手続補正書】
【提出日】平成17年6月10日(2005.6.10)
【手続補正１】
【補正対象書類名】明細書
【補正対象項目名】発明の名称
【補正方法】変更
【補正の内容】
【発明の名称】カメラ及びその制御方法
【手続補正２】
【補正対象書類名】明細書
【補正対象項目名】特許請求の範囲
【補正方法】変更
【補正の内容】
【特許請求の範囲】
【請求項１】
第１の被写体を撮像することによって得られるホワイトバランス補正用のデータを用いて、前記第１の被写体と異なる第２の被写体を撮像することによって得られる画像に対してホワイトバランス補正を行う機能を有するカメラにおいて、
前記第１の被写体を撮像するための操作部材を、撮影者が操作した後、焦点調整動作のためのレンズ駆動を行わずに、前記第１の被写体の撮像を行うように制御する制御手段を有することを特徴とするカメラ。
【請求項２】
第１の被写体を撮像することによって得られる第１のホワイトバランス補正用のデータを用いて、第２の被写体を撮像することによって得られる画像に対してホワイトバランス補正を行う機能と、所定の光源に対応して予め用意された第２のホワイトバランス補正用のデータを用いて、第２の被写体を撮像することによって得られる画像に対してホワイトバランス補正を行う機能とを有するカメラにおいて、
前記第１の被写体を撮像することによって、前記第１のホワイトバランス補正用のデータを取得するための第１のモードと、前記第２のホワイトバランス補正用のデータを設定するための第２のモードとを選択可能とするとともに、前記第１のモードが選択された際は、前記第１の被写体を撮像するための操作部材を、撮影者が操作した後、焦点調整動作のためのレンズ駆動を行わずに、前記第１の被写体の撮像を行うように制御する制御手段を有することを特徴とするカメラ。
【請求項３】
請求項２において、
画像を表示する表示手段を有し、
前記制御手段は、前記第１のモードの選択に応じて、前記表示手段の表示画面が、前記第１の被写体を撮像するための表示画面に変化するように制御することを特徴とするカメラ。
【請求項４】
請求項１乃至３のいずれか１項において、
前記第２の被写体を撮像する前に、焦点調整動作のためにレンズ駆動を行い、その後、前記第２の被写体の撮像を行うようにするための、前記撮影者によって操作される操作部材と、前記第１の被写体を撮像するための操作部材とが共通の部材であることを特徴とするカメラ。
【請求項５】
請求項４において、
前記操作部材は、レリーズスイッチであることを特徴とするカメラ。
【請求項６】
第１の被写体を撮像することによって得られるホワイトバランス補正用のデータを用いて、前記第１の被写体と異なる第２の被写体を撮像することによって得られる画像に対してホワイトバランス補正を行う機能を有するカメラにおいて、
前記第１の被写体を撮像するための操作部材を、撮影者が操作した後、焦点調整動作後の前記第１の被写体の撮像を開始するまでの時間が、前記第２の被写体を撮像するための操作部材を、撮影者が操作した後、焦点調整動作後の合焦と判定されるまでの時間よりも短くなるように、前記第１の被写体を撮像する際の焦点調整動作を制御する制御手段を有することを特徴とするカメラ。
【請求項７】
第１の被写体を撮像することによって得られる第１のホワイトバランス補正用のデータを用いて、第２の被写体を撮像することによって得られる画像に対してホワイトバランス補正を行う機能と、所定の光源に対応して予め用意された第２のホワイトバランス補正用のデータを用いて、第２の被写体を撮像することによって得られる画像に対してホワイトバランス補正を行う機能とを有するカメラにおいて、
前記第１の被写体を撮像することによって、前記第１のホワイトバランス補正用のデータを取得するための第１のモードと、前記第２のホワイトバランス補正用のデータを設定するための第２のモードとを選択可能とするとともに、前記第１の被写体を撮像するための操作部材を、撮影者が操作した後、焦点調整動作後の前記第１の被写体の撮像を開始するまでの時間が、前記第２の被写体を撮像するための操作部材を、撮影者が操作した後、焦点調整動作後の合焦と判定されるまでの時間よりも短くなるように、前記第１の被写体を撮像する際の焦点調整動作を制御する制御手段を有することを特徴とするカメラ。
【請求項８】
請求項７において、
画像を表示する表示手段を有し、
前記制御手段は、前記第１のモードの選択に応じて、前記表示手段の表示画面が、前記第１の被写体を撮像するための表示画面に変化するように制御することを特徴とするカメラ。
【請求項９】
請求項７又は８において、
前記制御手段は、前記第１の被写体を撮像する際は、複数の測距点を画面中央部の測距点に限定するように制御することを特徴とするカメラ。
【請求項１０】
請求項７又は８において、
前記制御手段は、前記第１の被写体を撮像する際の合焦と判定する判定レベルを、前記第２の被写体を撮像する際の合焦と判定する判定レベルよりも低く設定するように制御することを特徴とするカメラ。
【請求項１１】
請求項６乃至１０のいずれか１項において、
前記第２の被写体を撮像する前に、焦点調整動作を行い、その後、前記第２の被写体の撮像を行うようにするための、前記撮影者によって操作される操作部材と、前記第２の被写体を撮像する前に、焦点調整動作を行い、その後、前記第２の被写体の撮像を行うようにするための、前記撮影者によって操作される操作部材とが共通の部材であることを特徴とするカメラ。
【請求項１２】
請求項１１において、
前記操作部材は、レリーズスイッチであることを特徴とするカメラ。
【請求項１３】
第１の被写体を撮像することによって得られるホワイトバランス補正用のデータを用いて、前記第１の被写体と異なる第２の被写体を撮像することによって得られる画像に対してホワイトバランス補正を行うステップと、
前記第１の被写体を撮像するための操作部材を、撮影者が操作した後、焦点調整動作のためのレンズ駆動を行わずに、前記第１の被写体の撮像を行うように制御するステップと
を有することを特徴とするカメラの制御方法。
【請求項１４】
第１の被写体を撮像することによって得られるホワイトバランス補正用のデータを用いて、前記第１の被写体と異なる第２の被写体を撮像することによって得られる画像に対してホワイトバランス補正を行うステップと、
前記第１の被写体を撮像するための操作部材を、撮影者が操作した後、焦点調整動作後の前記第１の被写体の撮像を開始するまでの時間が、前記第２の被写体を撮像するための操作部材を、撮影者が操作した後、焦点調整動作後の合焦と判定されるまでの時間よりも短くなるように、前記第１の被写体を撮像する際の焦点調整動作を制御するステップと
を有することを特徴とするカメラの制御方法。
【手続補正３】
【補正対象書類名】明細書
【補正対象項目名】０００１
【補正方法】変更
【補正の内容】
【０００１】
【発明の属する技術分野】
本発明は、オートフォーカス（以下、「ＡＦ」と称する。）機能を備えたカメラ及びその制御方法に関する。
【手続補正４】
【補正対象書類名】明細書
【補正対象項目名】０００４
【補正方法】変更
【補正の内容】
【０００４】
そこで、本発明の目的は、ホワイトバランスデータ取得のための白紙等の撮影が、長時間のオートフォーカス動作のために長時間化することの無いカメラ及びその制御方法を提供することである。
【手続補正５】
【補正対象書類名】明細書
【補正対象項目名】０００５
【補正方法】変更
【補正の内容】
【０００５】
【課題を解決するための手段】
本発明のカメラは、第１の被写体を撮像することによって得られるホワイトバランス補正用のデータを用いて、前記第１の被写体と異なる第２の被写体を撮像することによって得られる画像に対してホワイトバランス補正を行う機能を有するカメラにおいて、前記第１の被写体を撮像するための操作部材を、撮影者が操作した後、焦点調整動作のためのレンズ駆動を行わずに、前記第１の被写体の撮像を行うように制御する制御手段を有する。
本発明のカメラにおける他の態様は、第１の被写体を撮像することによって得られる第１のホワイトバランス補正用のデータを用いて、第２の被写体を撮像することによって得られる画像に対してホワイトバランス補正を行う機能と、所定の光源に対応して予め用意された第２のホワイトバランス補正用のデータを用いて、第２の被写体を撮像することによって得られる画像に対してホワイトバランス補正を行う機能とを有するカメラにおいて、前記第１の被写体を撮像することによって、前記第１のホワイトバランス補正用のデータを取得するための第１のモードと、前記第２のホワイトバランス補正用のデータを設定するための第２のモードとを選択可能とするとともに、前記第１のモードが選択された際は、前記第１の被写体を撮像するための操作部材を、撮影者が操作した後、焦点調整動作のためのレンズ駆動を行わずに、前記第１の被写体の撮像を行うように制御する制御手段を有する。
また、本発明のカメラにおけるその他の態様は、第１の被写体を撮像することによって得られるホワイトバランス補正用のデータを用いて、前記第１の被写体と異なる第２の被写体を撮像することによって得られる画像に対してホワイトバランス補正を行う機能を有するカメラにおいて、前記第１の被写体を撮像するための操作部材を、撮影者が操作した後、焦点調整動作後の前記第１の被写体の撮像を開始するまでの時間が、前記第２の被写体を撮像するための操作部材を、撮影者が操作した後、焦点調整動作後の合焦と判定されるまでの時間よりも短くなるように、前記第１の被写体を撮像する際の焦点調整動作を制御する制御手段を有する。
また、本発明のカメラにおけるその他の態様は、第１の被写体を撮像することによって得られる第１のホワイトバランス補正用のデータを用いて、第２の被写体を撮像することによって得られる画像に対してホワイトバランス補正を行う機能と、所定の光源に対応して予め用意された第２のホワイトバランス補正用のデータを用いて、第２の被写体を撮像することによって得られる画像に対してホワイトバランス補正を行う機能とを有するカメラにおいて、前記第１の被写体を撮像することによって、前記第１のホワイトバランス補正用のデータを取得するための第１のモードと、前記第２のホワイトバランス補正用のデータを設定するための第２のモードとを選択可能とするとともに、前記第１の被写体を撮像するための操作部材を、撮影者が操作した後、焦点調整動作後の前記第１の被写体の撮像を開始するまでの時間が、前記第２の被写体を撮像するための操作部材を、撮影者が操作した後、焦点調整動作後の合焦と判定されるまでの時間よりも短くなるように、前記第１の被写体を撮像する際の焦点調整動作を制御する制御手段を有する。
【手続補正６】
【補正対象書類名】明細書
【補正対象項目名】０００６
【補正方法】変更
【補正の内容】
【０００６】
本発明のカメラの制御方法は、第１の被写体を撮像することによって得られるホワイトバランス補正用のデータを用いて、前記第１の被写体と異なる第２の被写体を撮像することによって得られる画像に対してホワイトバランス補正を行うステップと、前記第１の被写体を撮像するための操作部材を、撮影者が操作した後、焦点調整動作のためのレンズ駆動を行わずに、前記第１の被写体の撮像を行うように制御するステップとを有する。
本発明のカメラの制御方法における他の態様は、第１の被写体を撮像することによって得られるホワイトバランス補正用のデータを用いて、前記第１の被写体と異なる第２の被写体を撮像することによって得られる画像に対してホワイトバランス補正を行うステップと、前記第１の被写体を撮像するための操作部材を、撮影者が操作した後、焦点調整動作後の前記第１の被写体の撮像を開始するまでの時間が、前記第２の被写体を撮像するための操作部材を、撮影者が操作した後、焦点調整動作後の合焦と判定されるまでの時間よりも短くなるように、前記第１の被写体を撮像する際の焦点調整動作を制御するステップとを有する。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】００５５
【補正方法】変更
【補正の内容】
【００５５】
【発明の効果】
本発明によれば、白紙等の撮影時、撮影までの時間の短縮が可能となる。
【手続補正１０】
【補正対象書類名】明細書
【補正対象項目名】００５６
【補正方法】削除
【補正の内容】